(57)【要約】      （修正有）【課題】２個の光コネクタを作業性良く一体的に保持する。【解決手段】底板部１１と間隔を介して配置される上板部１２とを区画壁１３によって連結し、底板部と上板部と区画壁によって囲まれるコネクタ挿入空間の前方側の空間を、光コネクタの光コネクタ本体の後方部位を挿入する光コネクタ本体部位挿入空間１４とし、後方側の空間を光コネクタのブーツが挿入されるブーツ部位挿入空間１５と成す。上板部位置の中央部位から前方に伸張するアーム状板部１８の先端部位から左右両側に張り出す張り出し部位１９を設け、光コネクタの後方側から相対的に光コネクタ本体部位挿入空間に光コネクタを挿入していく際に張り出し部位が光コネクタ本体部の上面の盛り上げ面に乗り上がって光コネクタの前方側に移動していき、光コネクタの挿入完了位置で張り出し部位が前記盛り上げ面を乗り越えて該盛り上げ面の前端側の段差に係止する構成とする。【選択図】図１
2020016744.tif 000002
【特許請求の範囲】
【請求項１】
光コネクタ本体の長手方向の基端側上面の中央部には斜め前方上向きに伸張した操作レバーの基端側が連結されるとともに前記光コネクタ本体の先端側上面には後方斜め上向きに伸張するロックレバーの基端側が連結されて該ロックレバーの先端側は前記操作レバーの先端側の下側に位置され、前記コネクタ本体の先端側が信号接続相手側装置に挿入されてその挿入状態がロックされているときに前記操作レバーの押下げ操作に連動して前記ロックレバーを押下げることにより前記ロックが解除される構成を有し、前記光コネクタ本体の後端側からは光ファイバコードが引き出されていて前記光コネクタ本体の後端側の前記光ファイバコードの引き出し部位領域にはブーツが被せられており、前記光コネクタ本体の後部側の上面の中央領域には当該上面の後方側基端から前方へ向けて前記操作レバーの基端の両側領域に盛り上げ面が段差を介して前記光コネクタ本体の上面の他の面よりも高位の面として形成されているタイプの光コネクタを対象として、当該対象の２個の光コネクタを該光コネクタの後方側から挿入して一体的に保持可能な２連連結光コネクタ保持具であって；該２連連結光コネクタ保持具は、底板部と、該底板部に対し上下方向に間隔を介して配置される上板部とを有して、該上板部と前記底板部とは互いに幅方向の中央部が前後方向を長手方向とする区画壁によって連結されて、前記底板部と前記上板部と前記区画壁によって囲まれるコネクタ挿入空間が前記区画壁の左右両側に形成されており、該コネクタ挿入空間は前後方向の前方側の空間が前記光コネクタの光コネクタ本体の後方部位が挿入される光コネクタ本体部位挿入空間と成して、該光コネクタ本体部位挿入空間よりも後方側の空間が前記光コネクタのブーツが挿入されるブーツ部位挿入空間と成しており、前記底板部の左右両端部位には上向きに伸張する上向き伸張壁部が形成され、前記ブーツ部位挿入空間の上板部の左右両端部位には下向きに伸張する下向き伸張壁部が形成され、前記ブーツ部位挿入空間の前記下向き伸張壁部と上向き伸張壁部間に形成される空間間隔は前記ブーツの外径よりは小さく前記光ファイバコードの外径よりは大きく形成され、前記ブーツ部位挿入空間の内壁面を形成する前記底板部と上向き伸張壁部と区画壁と上板部と下向き伸張壁部の内壁面は当該ブーツ部位挿入空間に挿入される前記ブーツを接触保持する部位を有して形成され、前記光コネクタ本体部位挿入空間の内壁面を形成する前記底板部と上向き伸張壁部と区画壁と上板部の内壁面は当該光コネクタ本体部位挿入空間に挿入される前記光コネクタ本体部位の外形形状に対応する形状に形成され、前記光コネクタ本体部位挿入空間の上板部は前記ブーツ部位挿入空間の上板部位置の中央部位から前方に伸張するアーム状板部と該アーム状板部の先端部位から左右両側に張り出す張り出し部位とによって形成される舌片状の上板部として形成され、前記光コネクタの後方側から相対的に前記光コネクタ本体部位挿入空間に光コネクタを挿入していく際に前記光コネクタ本体部位挿入空間の舌片状の上板部の前記張り出し部位が前記光コネクタ本体部の上面の盛り上げ面に乗り上がって光コネクタの前方側に移動していき、光コネクタの挿入完了位置で前記舌片状の上板部の前記張り出し部位が前記盛り上げ面を乗り越えて該盛り上げ面の前端側の段差に係止する構成としたことを特徴とする２連連結光コネクタ保持具。
【請求項２】
前記上板部の上面には後端側中央部に基端側が連結されて先端側が前方斜め上向きに伸張する操作板が設けられており、前記光コネクタの挿入完了位置において前記操作板の伸張先端部位が前記光コネクタの前記操作レバーの先端側の上側に位置する構成と成していることを特徴とする請求項１記載の２連連結光コネクタ保持具。
【請求項３】
前記光コネクタ本体部位挿入空間の内壁面を形成する前記底板部と前記区画壁の少なくとも一方には内壁側に溝部が形成され、該溝部は前記２連連結光コネクタ保持具を前記対象の２個の光コネクタの後方側から該光コネクタ側に移動させて前記光コネクタの後方側から相対的に前記光コネクタ本体部位挿入空間に光コネクタを挿入していく際に、前記ブーツの外周部の一部が挿入されながら移動できるようにするための案内用溝と成していることを特徴とする請求項１または請求項２記載の２連連結光コネクタ保持具。
【発明の詳細な説明】
【技術分野】
【０００１】
本発明は、例えば光通信等に用いられる２個の光コネクタを一体的に保持可能な２連連結光コネクタ保持具に関するものである。
【背景技術】
【０００２】
近年、光通信が普及されるようになり、光通信における伝送システムでは、例えば図１０（ａ）に示されるような光コネクタ付きコード２を、図１０（ｂ）および図１１に示されるように、信号接続相手側装置５０に接続することが行われている。
【０００３】
光コネクタ付きコード２は光コネクタ１と光ファイバコード４とを備えており、光コネクタ１は、例えば図１０、図１１に示されるように、断面外観が略四角形状を呈した光コネクタ本体３を有している。なお、これらの図に示す例では、光コネクタ本体３は略四角形状の角部が曲面に形成されている（図１０（ｃ）、参照）。光ファイバコード４は、光ファイバ心線の外周側にナイロン樹脂等が被覆されて形成されており、光ファイバコード４の先端側の被覆が剥がされた状態の光ファイバ心線がフェルール２２に挿入固定された状態で光コネクタ本体３内に挿入されている。
【０００４】
光コネクタ本体３の後端側から引き出されている光ファイバコード４には、光コネクタ本体３の後端側の引き出し部位領域に、ブーツ５が被せられている。この例では、ブーツ５の外径は光コネクタ本体３の径よりも少し大きく形成されている。なお、光ファイバコード４の長さは非常に長いものであるが、図１１等においては短く切断した状態の図が示されている。
【０００５】
光コネクタ本体３の長手方向の基端側上面の中央部には、斜め前方上向きに伸張した操作レバー６の基端側が連結されているとともに、図１０（ａ）に示されるように、光コネクタ本体３の先端側上面には後方斜め上向きに伸張するロックレバー７の基端側が連結されており、該ロックレバー７の先端側は前記操作レバー６の先端側の下側に位置されている。また、光コネクタ本体３の後部側の上面９の中央領域には、当該上面９の後方側基端から前方へ向けて、操作レバー６の基端の両側領域に盛り上げ面８が形成されており、この盛り上げ面８は、段差を介して光コネクタ本体３の上面９の他の面よりも高位の面として形成されている。なお、この例では、盛り上げ面８が操作レバー６の先端側より幅広に形成されている（図１１、参照）。
【０００６】
この光コネクタ１は、図１０（ａ）の矢印に示されるように光コネクタ付きコード２を信号接続相手側装置５０に向けて移動させ、コネクタ本体３の先端側を信号接続相手側装置５０に挿入することにより、ロックレバー７が一度下側に下がって接続位置で再び上側に戻ることにより光コネクタ１が信号接続相手側装置５０への挿入状態でロックされ、光ファイバコード４が信号接続相手側装置５０に信号接続されるようになっている。そして、前記挿入状態がロックされているときに、図１０（ｂ）の矢印に示されるように操作レバー６の押下げ操作を行い、この操作に連動してロックレバー７を押下げることにより前記ロックが解除される。
【０００７】
図１０、図１１に示される例においては、光送信用と光受信用の対となる２個の光コネクタ付きコード２が信号接続相手側装置５０にペアとして挿入接続されるようになっており、これらの光コネクタ付きコード２について例えば検査を行う際に、単に２つの光コネクタ付きコード２を信号接続相手側装置５０から外すと、２つの光コネクタ付きコード２とのうち、どちらが光送信用の光コネクタ付きコード２でどちらが光受信用の光コネクタ付きコード２かの区別がつかなくなってしまう。
【０００８】
そうなると、検査後に光コネクタ付きコード２を再び信号接続相手側装置５０に接続する際、送信側と受信側を誤ると支障が生じるため、どちらの光コネクタ付きコード２が送信側の光コネクタ付きコード２で、どちらが受信側の光コネクタ付きコード２であるかの区別がつくように、対象の光送信用と光受信用の対となる２個の光コネクタ１を一体的に保持可能な２連連結光コネクタ保持具が用いられている。
【０００９】
なお、先行技術文献については検索したが、該当する先行技術文献は見つからなかった。
【発明の概要】
【発明が解決しようとする課題】
【００１０】
しかしながら、従来用いられている２連連結光コネクタ保持具は、光コネクタ１を２連連結光コネクタ保持具によって保持するためには、光コネクタ１を信号接続相手側装置５０から外さないと行うことができないため、作業性が悪いといった問題があった。それというのは、前記２連連結光コネクタ保持具は、２つの光コネクタ保持部が左右に並設されて形成されていて、例えば一方側の光コネクタ１を２連連結光コネクタの左側から左側の光コネクタ保持部に挿入し、他方側の光コネクタ１を２連連結光コネクタの右側から右側の光コネクタ保持部に挿入するといったように、対の光コネクタ１を、左右側からそれぞれ別々に１つずつ挿入して固定する態様の保持具であるので、図１１に示されるような態様で光コネクタ１が信号接続相手側装置５０に接続されていると、対の光コネクタ１を光コネクタ保持部に挿入することはできないのである。
【００１１】
そのため、例えば、まず、一方側の光コネクタ１を信号接続相手側装置５０から外して、その光コネクタ１を２連連結光コネクタの左側から２連連結光コネクタ保持具の左側の光コネクタ保持部に挿入し、次に、他方側の光コネクタ１を信号接続相手側装置５０から外して、その光コネクタ１を２連連結光コネクタの右側から２連連結光コネクタ保持具の右側の光コネクタ保持部に挿入するといった作業が必要になるため、作業性が悪く、もっと良好な作業性で光コネクタ１を信号接続相手側装置５０に信号接続した状態で２個の光コネクタ１を一体的に保持可能な２連連結光コネクタ保持具の実現が望まれていた。
【００１２】
本発明は、前記課題を解決するためになされたものであり、その目的は、２個の光コネクタを一体的に保持可能な作業性が良好の２連連結光コネクタ保持具を提供することにある。
【課題を解決するための手段】
【００１３】
上記目的を達成するために、本発明は次のような構成をもって課題を解決するための手段としている。すなわち、第１の発明は、光コネクタ本体の長手方向の基端側上面の中央部には斜め前方上向きに伸張した操作レバーの基端側が連結されるとともに前記光コネクタ本体の先端側上面には後方斜め上向きに伸張するロックレバーの基端側が連結されて該ロックレバーの先端側は前記操作レバーの先端側の下側に位置され、前記コネクタ本体の先端側が信号接続相手側装置に挿入されてその挿入状態がロックされているときに前記操作レバーの押下げ操作に連動して前記ロックレバーを押下げることにより前記ロックが解除される構成を有し、前記光コネクタ本体の後端側からは光ファイバコードが引き出されていて前記光コネクタ本体の後端側の前記光ファイバコードの引き出し部位領域にはブーツが被せられており、前記光コネクタ本体の後部側の上面の中央領域には当該上面の後方側基端から前方へ向けて前記操作レバーの基端の両側領域に盛り上げ面が段差を介して前記光コネクタ本体の上面の他の面よりも高位の面として形成されているタイプの光コネクタを対象として、当該対象の対となる２個の光コネクタを該光コネクタの後方側から挿入して一体的に保持可能な２連連結光コネクタ保持具であって；該２連連結光コネクタ保持具は、底板部と、該底板部に対し上下方向に間隔を介して配置される上板部とを有して、該上板部と前記底板部とは互いに幅方向の中央部が前後方向を長手方向とする区画壁によって連結されて、前記底板部と前記上板部と前記区画壁によって囲まれるコネクタ挿入空間が前記区画壁の左右両側に形成されており、該コネクタ挿入空間は前後方向の前方側の空間が前記光コネクタの光コネクタ本体の後方部位が挿入される光コネクタ本体部位挿入空間と成して、該光コネクタ本体部位挿入空間よりも後方側の空間が前記光コネクタのブーツが挿入されるブーツ部位挿入空間と成しており、前記底板部の左右両端部位には上向きに伸張する上向き伸張壁部が形成され、前記ブーツ部位挿入空間の上板部の左右両端部位には下向きに伸張する下向き伸張壁部が形成され、前記ブーツ部位挿入空間の前記下向き伸張壁部と上向き伸張壁部間に形成される空間間隔は前記ブーツの外径よりは小さく前記光ファイバコードの外径よりは大きく形成され、前記ブーツ部位挿入空間の内壁面を形成する前記底板部と上向き伸張壁部と区画壁と上板部と下向き伸張壁部の内壁面は当該ブーツ部位挿入空間に挿入される前記ブーツを接触保持する部位を有して形成され、前記光コネクタ本体部位挿入空間の内壁面を形成する前記底板部と上向き伸張壁部と区画壁と上板部の内壁面は当該光コネクタ本体部位挿入空間に挿入される前記光コネクタ本体部位の外形形状に対応する形状に形成され、前記光コネクタ本体部位挿入空間の上板部は前記ブーツ部位挿入空間の上板部位置の中央部位から前方に伸張するアーム状板部と該アーム状板部の先端部位から左右両側に張り出す張り出し部位とによって形成される舌片状の上板部として形成され、前記光コネクタの後方側から相対的に前記光コネクタ本体部位挿入空間に光コネクタを挿入していく際に前記光コネクタ本体部位挿入空間の舌片状の上板部の前記張り出し部位が前記光コネクタ本体部の上面の盛り上げ面に乗り上がって光コネクタの前方側に移動していき、光コネクタの挿入完了位置で前記舌片状の上板部の前記張り出し部位が該盛り上げ面を乗り越えて前記盛り上げ面の前端側の段差に係止する構成とした構成をもって課題を解決するための手段としている。
【００１４】
また、第２の発明は、前記第１の発明の構成に加え、前記上板部の上面には後端側中央部に基端側が連結されて先端側が前方斜め上向きに伸張する操作板が設けられており、前記光コネクタの挿入完了位置において前記操作板の伸張先端部位が前記光コネクタの前記操作レバーの先端側の上側に位置する構成と成していることを特徴とする。
【００１５】
さらに、第３の発明は、前記第１または第２の発明の構成に加え、前記光コネクタ本体部位挿入空間の内壁面を形成する前記底板部と前記区画壁の少なくとも一方には内壁側に溝部が形成され、該溝部は前記２連連結光コネクタ保持具を前記対象の２個の光コネクタの後方側から該光コネクタ側に移動させて前記光コネクタの後方側から相対的に前記光コネクタ本体部位挿入空間に光コネクタを挿入していく際に、前記ブーツの外周部の一部が挿入されながら移動できるようにするための案内用溝と成していることを特徴とする。
【発明の効果】
【００１６】
本発明によれば、対象となる光コネクタは、光コネクタ本体の後端側から光ファイバコードが引き出されていて前記光コネクタ本体の後端側の前記光ファイバコードの引き出し部位領域にはブーツが被せられているのに対し、本発明の２連連結光コネクタ保持具は、底板部と、該底板部に対し上下方向に間隔を介して配置される上板部とを有して、該上板部と前記底板部とは互いに幅方向の中央部が前後方向を長手方向とする区画壁によって連結されて、前記底板部と前記上板部と前記区画壁によって囲まれるコネクタ挿入空間が前記区画壁の左右両側に形成されている。
【００１７】
そして、該コネクタ挿入空間は前後方向の前方側の空間が前記光コネクタの光コネクタ本体の後方部位が挿入される光コネクタ本体部位挿入空間と成し、該光コネクタ本体部位挿入空間よりも後方側の空間が前記光コネクタのブーツが挿入されるブーツ部位挿入空間と成しているが、このブーツ部位挿入空間は、左右両側の部位に空間間隙が形成されており、光コネクタを信号接続相手側装置に信号接続したままの状態で、前記空間間隔から前記光ファイバコードを前記ブーツ部位挿入空間に通し、その後、前記光コネクタの後方側から相対的に前記光コネクタ本体部位挿入空間に光コネクタを挿入していくことができる。
【００１８】
さらに詳しく述べると、本発明の２連連結光コネクタ保持具において、前記底板部の左右両端部位には上向きに伸張する上向き伸張壁部が形成され、前記ブーツ部位挿入空間の上板部の左右両端部位には下向きに伸張する下向き伸張壁部が形成されており、前記ブーツ部位挿入空間の前記下向き伸張壁部と上向き伸張壁部間に形成される空間間隔が前記ブーツの外径よりは小さく前記光ファイバコードの外径よりは大きく形成されている。そのため、光コネクタを信号接続相手側装置に信号接続したままの状態で、前記空間間隔から前記光ファイバコードを前記ブーツ部位挿入空間に通すことができ、その後、前記光コネクタの後方側から相対的に前記光コネクタ本体部位挿入空間に光コネクタを挿入していくことができる。
【００１９】
そして、前記光コネクタ本体部位挿入空間の内壁面を形成する前記底板部と上向き伸張壁部と区画壁と上板部の内壁面が、当該光コネクタ本体部位挿入空間に挿入される前記光コネクタ本体部位の外形形状に対応する形状に形成されていることによって、前記コネクタ本体部位の後端側を光コネクタ本体部位挿入空間に適切な状態で挿入することができ、また、前記ブーツ部位挿入空間の内壁面を形成する前記底板部と上向き伸張壁部と区画壁と上板部と下向き伸張壁部の内壁面は当該ブーツ部位挿入空間に挿入される前記ブーツを接触保持する部位を有して形成されているので、前記ブーツを前記ブーツ部位挿入空間に適切に挿入して接触保持することができる。
【００２０】
さらに、本発明において、２連連結光コネクタ保持具により保持される対象となる光コネクタは、前記光コネクタ本体の後部側の上面の中央領域に、当該上面の後方側基端から前方へ向けて前記操作レバーの基端の両側領域に盛り上げ面が段差を介して前記光コネクタ本体の上面の他の面よりも高位の面として形成されているのに対し、本発明の２連連結光コネクタ保持具は、以下の構成を有することから、光コネクタの保持を的確に行うことができる。
【００２１】
つまり、本発明の２連連結光コネクタ保持具において、前記光コネクタ本体部位挿入空間の上板部が前記ブーツ部位挿入空間の上板部位置の中央部位から前方に伸張するアーム状板部と該アーム状板部の先端部位から左右両側に張り出す張り出し部位とによって形成される舌片状の上板部として形成され、前記光コネクタの後方側から相対的に前記光コネクタ本体部位挿入空間に光コネクタを挿入していく際に前記光コネクタ本体部位挿入空間の舌片状の上板部の前記張り出し部位が前記光コネクタ本体部の上面の盛り上げ面に乗り上がって光コネクタの前方側に移動していき、光コネクタの挿入完了位置で前記舌片状の上板部の前記張り出し部位が前記盛り上げ面を乗り越えて前記盛り上げ面の前端側の段差に係止するので、この係止によって２連連結光コネクタ保持具が前記光コネクタ本体に抜け止め状態となり、前記光コネクタ本体の後端側を前記光コネクタ本体部位挿入空間に保持できる。
【００２２】
したがって、本発明の２連連結光コネクタ保持具は、対象となる前記光コネクタの後方側から相対的に前記光コネクタ本体部位挿入空間に光コネクタを挿入していき、前記ブーツを記ブーツ部位挿入空間に挿入し、光コネクタとブーツを的確に保持することができ、その結果、対象の対となる２個の光コネクタを容易に（作業性良く）、かつ、的確に、一体的に保持可能とすることができる。
【００２３】
なお、本発明の２連連結光コネクタ保持具により保持される対象となる光コネクタは、前記光コネクタ本体の長手方向の基端側上面の中央部には斜め前方上向きに伸張した操作レバーの基端側が連結されるとともに前記光コネクタ本体の先端側上面には後方斜め上向きに伸張するロックレバーの基端側が連結されて該ロックレバーの先端側は前記操作レバーの先端側の下側に位置され、前記コネクタ本体の先端側が信号接続相手側装置に挿入されてその挿入状態がロックされているときに前記操作レバーの押下げ操作に連動して前記ロックレバーを押下げることにより前記ロックが解除される構成を有している。
【００２４】
それに対し、本発明の２連連結光コネクタ保持具において、前記上板部の上面には後端側中央部に基端側が連結されて先端側が前方斜め上向きに伸張する操作板が設けられており、前記光コネクタの挿入完了位置において前記操作板の伸張先端部位が前記光コネクタの前記操作レバーの先端側の上側に位置する構成と成している構成によれば、前記操作板を押下げると前記光コネクタの前記操作レバーを押下げることができる。そのため、本発明の２連連結光コネクタ保持具の操作板を下側に押し下げる操作を行うことにより前記光コネクタの操作レバーを押下げ操作して前記ロックレバーを押下げ、前記ロック解除を行うことができる。したがって、この構成においては、２連連結光コネクタ保持具の操作板の操作により、２連連結光コネクタ保持具と共に２つの対の光コネクタを接続相手側装置から外すことができ、作業性の向上をより一層図ることができる。
【００２５】
さらに、本発明の２連連結光コネクタ保持具において、前記光コネクタ本体部位挿入空間の内壁面を形成する前記底板部と前記区画壁の少なくとも一方には内壁側に溝部が形成され、該溝部は前記２連連結光コネクタ保持具を前記対象の２個の光コネクタの後方側から該光コネクタ側に移動させて前記光コネクタの後方側から相対的に前記光コネクタ本体部位挿入空間に光コネクタを挿入していく際に、前記ブーツの外周部の一部が挿入されながら移動できるようにするための案内用溝と成しているものにおいては、ブーツの外径が光コネクタ本体の外径よりも大きめであっても、前記案内用溝に案内されて前記光コネクタの後方側から相対的に本発明の２連連結光コネクタ保持具を移動させて、ブーツをスムーズに前記光コネクタ本体部位挿入空間を通して前記ブーツ部位挿入空間に接触保持し、光コネクタを前記光コネクタ本体部位挿入空間に挿入保持することができる。
【図面の簡単な説明】
【００２６】
【図１】本発明に係る２連連結光コネクタ保持具の一実施例を説明するための模式的な斜視図である。
【図２】実施例の２連連結光コネクタ保持具を後端側から見た場合の模式的な斜視図である。
【図３】実施例の２連連結光コネクタ保持具の模式的な正面図（ａ）、模式的な背面図（ｂ）、模式的な側面図（ｃ）、図３（ｃ）のＢ−Ｂ断面図（ｄ）である。
【図４】実施例の２連連結光コネクタ保持具を光コネクタに挿入する方法を説明するための模式的な斜視説明図である。
【図５】実施例の２連連結光コネクタ保持具を光コネクタに挿入した状態を説明するための模式的な斜視図（ａ）と、模式的な部分平面図（ｂ）である。
【図６】実施例の２連連結光コネクタ保持具を光コネクタに挿入した状態を説明するための模式的な側面図である。
【図７】実施例の２連連結光コネクタ保持具を光コネクタに挿入した状態で信号接続相手側装置から外した状態を説明するための模式的な斜視図である。
【図８】実施例の２連連結光コネクタ保持具を光コネクタに挿入した状態で信号接続相手側装置から外した状態を説明するための模式的な側面図である。
【図９】その他の実施例の２連連結光コネクタ保持具を説明するための模式的な斜視図である。
【図１０】光ファイバコードを信号接続相手側装置に挿入接続する方法を説明するための模式的な側面図（ａ）、（ｂ）と光コネクタ本体の形状を説明するための模式的な光コネクタ正面形状図（ｃ）である。
【図１１】光ファイバコードを信号接続相手側装置に挿入接続した状態例を説明するための模式的な斜視説明図である。
【発明を実施するための形態】
【００２７】
以下、本発明の実施の形態を図面に基づき説明する。なお、本実施形態例の説明において、これまでの説明と同一名称部分には同一符号を付し、その重複説明は省略または簡略化する。
【実施例】
【００２８】
図１、図２には、本発明に係る２連連結光コネクタ保持具の一実施例が模式的な斜視図により示されており、図３（ａ）には、本実施例の２連連結光コネクタ保持具の模式的な正面図が、図３（ｂ）には、その模式的な背面図が、図３（ｃ）には、その模式的な側面図が、図３（ｄ）には、図３（ｃ）のＢ−Ｂ断面図が、それぞれ示されている。
【００２９】
これらの図に示されるように、本発明の２連連結光コネクタ保持具１０は、図１０、図１１に示したような光コネクタ１を対象として、当該対象の対となる２個の光コネクタ１を該光コネクタ１の後方側から挿入して一体的に保持可能な２連連結光コネクタ保持具であって、光コネクタ１は、例えば光送信用と光受信用の対となる光コネクタである。
【００３０】
本実施例の２連連結光コネクタ保持具１０は、弾性のある樹脂で形成され、底板部１１と、該底板部に１１対し上下方向に間隔を介して配置される上板部１２とを有している。上板部１２と底板部１１とは、互いに幅方向の中央部が、前後方向を長手方向とする区画壁１３によって連結されており、底板部１１と上板部１２と区画壁１３によって囲まれる空間が、コネクタ挿入空間として区画壁１３の左右両側に形成されている。該コネクタ挿入空間は、前後方向の前方側の空間が光コネクタ１の光コネクタ本体３の後方部位が挿入される光コネクタ本体部位挿入空間１４と成し、該光コネクタ本体部位挿入空間１４よりも後方側の空間が光コネクタ１のブーツ５が挿入されるブーツ部位挿入空間１５と成している。
【００３１】
底板部１１の左右両端部位には上向きに伸張する上向き伸張壁部１６が形成され、ブーツ部位挿入空間１５の上板部の左右両端部位には下向きに伸張する下向き伸張壁部１７が形成され、ブーツ部位挿入空間１５の下向き伸張壁部１７と上向き伸張壁部１６間に形成される空間間隔は、ブーツ５の外径よりは小さく、光ファイバコード４の外径よりは大きく形成されている。また、ブーツ部位挿入空間１５の内壁面を形成する底板部１１と上向き伸張壁部１６と区画壁１３と上板部と下向き伸張壁部１７の内壁面は、当該ブーツ部位挿入空間１５に挿入されるブーツ５をがたつきなく保持すべく、ブーツ５を弾性的に接触保持する部位を有して形成されている。
【００３２】
光コネクタ本体部位挿入空間１４の内壁面を形成する底板部１１と上向き伸張壁部１６と区画壁１３と上板部１２の内壁面は、当該光コネクタ本体部位挿入空間１４に挿入される光コネクタ本体部位３の外形形状に対応する形状（略四角形状）に形成され、光コネクタ本体部位挿入空間１４の上板部１２は、ブーツ部位挿入空間１５の上板部位置の中央部位から前方に伸張するアーム状板部１８と該アーム状板部１８の先端部位から左右両側に、例えば０．６ｍｍずつ張り出す張り出し部位１９とによって形成される舌片状の上板部として形成されている。
【００３３】
上板部１２の上面には操作板２０が設けられており、操作板２０は。後端側中央部に基端側が上板部１２の上面に連結されて先端側が前方斜め上向きに伸張する態様と成している。なお、この例では、操作板２０の上面に、ＡとＢの文字が形成されている。また、光コネクタ本体部位挿入空間１４の内壁面を形成する底板部１１と区画壁１３には内壁側に溝部２１が形成されている。
【００３４】
本実施例の２連連結光コネクタ保持具１０は、例えば図４に示されるように、光コネクタ１を信号接続相手側装置５０に信号接続したままの状態で、左右のブーツ部位挿入空間１５の下向き伸張壁部１７と上向き伸張壁部１６間に形成される空間間隔に、２本の対の光コネクタ付きコード２の光ファイバコード４をそれぞれ１本ずつ横側から挿入すると、その後、光コネクタ１の後方側から相対的に光コネクタ１側に移動させて、光コネクタ本体部位挿入空間１４に光コネクタ１を挿入していくことができる。
【００３５】
そして、この際、光コネクタ本体部位挿入空間１４の舌片状の上板部（アーム状板部１８）の張り出し部位１９が光コネクタ本体部３の上面９の盛り上げ面８に乗り上がって光コネクタ１の前方側に移動していき、光コネクタ１の挿入完了位置で前記張り出し部位１９が盛り上げ面８を乗り越えて（乗り越える際に張り出し部位１９が上側に弾性変形し、乗り越えた後に元に戻り）、図５（ｂ）に示されるように、盛り上げ面８の前端側の段差に係止し、アーム状板部１８が光コネクタ本体３の上面９に係止する。なお、図５（ｂ）には、２連連結光コネクタ保持具１０による光コネクタ１の保持状態が操作板２０を透かした状態の平面図により模式的に示されている。また、この状態において、図５（ａ）、図６に示されるように、操作板２０の伸張先端部位が光コネクタ１の操作レバー６の先端側の上側に位置する構成と成している。
【００３６】
なお、本実施例の２連連結光コネクタ保持具１０において、光コネクタ本体部位挿入空間１４の内壁面を形成する底板部１１と区画壁１３の内壁側に形成されている溝部２１は、２連連結光コネクタ保持具１０を、前記の如く、対象の２個の光コネクタ１の後方側から該光コネクタ１側に移動させて光コネクタ本体部位挿入空間１４に光コネクタ１を挿入していく際に、光コネクタ本体３の径よりも外径が少し大きく形成されているブーツ５の外周部の一部が挿入されながら移動できるようにするための案内用溝と成している。
【００３７】
本実施例は、このように対の２つの光コネクタ１を作業性良く保持することができ、また、その状態で操作板２０を下側に押し下げると、操作板２０と共に光コネクタ１の操作レバー６が下側に下がり、ロックレバー７も下側に押し下げられてロック状態が解除され、図７、図８に示されるように、対の２つの光コネクタ１を保持したままで信号接続相手側装置５０から外すことができる。
【００３８】
また、本実施例の２連連結光コネクタ保持具１０は光コネクタ１を保持するものであり、永久的に固定するものではないため、２連連結光コネクタ保持具１０により保持されている対の２つの光コネクタ１をコネクタ挿入空間から外すことができる。例えば図７、図８に示したように保持されている２つの対の光コネクタ１を各々、コネクタ挿入空間から外すことができるし、左右入れ替えも可能である。
【００３９】
なお、本発明は、前記各実施例に限定されるものでなく、本発明の技術的範囲を逸脱しない範囲において様々な態様を採り得る。例えば、図９（ａ）〜（ｄ）にそれぞれ示されるように、上板部１２の両端側を前方側に突出した形状に形成してもよい。また、この突出部位２２に爪部２３を設けてもよい。図９（ａ）〜（ｄ）に示されるような突出部位２２を設けて２連連結光コネクタ保持具１０を形成すると光コネクタ本体３をより保持しやすくすることができるが、前記実施例の構成とすると、より製造しやすくできる。
【００４０】
また、前記実施例では、対象となる光コネクタ１は、断面外観が四角形状を呈した光コネクタ本体３を有するものとしたが、光コネクタ本体３の形状が略四角形状を呈するとは限らず、その場合、対象となる光コネクタ１の光コネクタ本体３の後方部位の形状に対応させて光コネクタ本体部位挿入空間１４と成せばよい。
【００４１】
さらに、前記実施例では、２連連結光コネクタ保持具１０の上板部１２の上面に操作板２０を設けたが、操作板２０は省略することもできる。
【００４２】
さらに、前記実施例では、２連連結光コネクタ保持具１０の光コネクタ本体部位挿入空間の内壁面を形成する底板部１１と区画壁１３の両方の内壁側に溝部２１を形成したが、例えばブーツ５の径が光コネクタ本体３の径以下の大きさに形成されている等、２連連結光コネクタ保持具１０の挿入の際に支障がなければ溝部２１は省略することもできる。なお、図９（ａ）、（ｃ）は溝部が形成されていない例である。
【００４３】
さらに、本発明の２連連結光コネクタ保持具は、その材質も特に限定されるものでなく、適宜設定されるものである。
【産業上の利用可能性】
【００４４】
本発明の２連連結光コネクタ保持具は、２個の光コネクタを一体的に保持可能で、その作業性が良好であるので、光コネクタの検査等、光通信における適宜の作業を行う際の補助具として利用できる。
【符号の説明】
【００４５】
１          光コネクタ
２          光コネクタ付きコード
３          光コネクタ本体
４          光ファイバコード
５          ブーツ
６          操作レバー
７          ロックレバー
８          盛り上げ面
９          上面
１０        ２連連結光コネクタ保持具
１１        底板部
１２        上板部
１３        区隔壁
１４        光コネクタ本体部位挿入空間
１５        ブーツ部位挿入空間
１６        上向き伸張壁部
１７        下向き伸張壁部
１８        アーム状板部
１９        張り出し部位
２０        操作板
２１        溝部
５０        信号接続相手側装置
【図１】
2020016744.tif 000003
【図２】
2020016744.tif 000004
【図３】
2020016744.tif 000005
【図４】
2020016744.tif 000006
【図５】
2020016744.tif 000007
【図６】
2020016744.tif 000008
【図７】
2020016744.tif 000009
【図８】
2020016744.tif 000010
【図９】
2020016744.tif 000011
【図１０】
2020016744.tif 000012
【図１１】
2020016744.tif 000013